(57)【要約】【課題】居室内の空間に影響を及ぼすことなく、設備配管の配置が可能な柱梁架構を提供する。【解決手段】柱梁架構１０において、廊下と居室の間に立設された柱２０の間の梁を省略するとともに、２通りの柱２０に３通りに向かって突出する片持梁４０を設ける。そして、片持梁４０の間に梁４１を架け渡し、柱梁架構１０の外周の梁３０及び片持梁４０の間に架け渡された梁４１により上階の床スラブ５０を支持する。これにより、設備配管８０から分岐した分岐配管８１を柱２０の中心側よりも廊下側で取りまわしすることができ、居室内に分岐配管８１を取りまわすための空間を設ける必要がなくなる。【選択図】図２
2010196278.tif 000002
【特許請求の範囲】
【請求項１】
コンクリート造の柱梁架構であって、
少なくとも一部の隣接する一対の柱間には梁が架け渡されておらず、
当該隣接する一対の柱に、夫々前記第１の室側に向かって延びるように接続された一対の第１の梁の間に、第２の梁が架け渡されていることを特徴とする柱梁架構。
【請求項２】
請求項１記載の柱梁架構であって、
前記第２の室は居室又は空調が必要な部屋であることを特徴とする柱梁架構。
【請求項３】
請求項１又は２記載の柱梁架構であって、
前記第１の梁は、片持ち梁であることを特徴とする柱梁架構。
【発明の詳細な説明】
【技術分野】
【０００１】
本発明は、居室内の空間を有効利用できる柱梁架構に関する。
【背景技術】
【０００２】
図５は、従来の建物における柱梁架構１１０を示す斜視図である。同図に示すように、従来の柱梁架構１１０では、梁１３０は柱１２０間に架け渡されている。図６は、このような従来の建物における設備配管８０の構成の一例を示す図である。なお、同図における間仕切り壁１６０の左側は廊下として利用され、右側は居室として利用されている。同図に示すように、居室側の天井にエアコンなどを設置する場合には、廊下側の天井裏空間１７０を通って、室外機から延びる設備配管８０を配置し、この設備配管８０から分岐した分岐配管８１を梁１３０の下方を通り、居室内まで到達するように配置している。
また、居室と廊下の間の梁に貫通孔を設け、配管をこの貫通孔を挿通させる方法が用いられることもある（例えば、特許文献１の段落［００１３］参照）。
【先行技術文献】
【特許文献】
【０００３】
【特許文献１】特開２００２―９７７１５号公報
【発明の概要】
【発明が解決しようとする課題】
【０００４】
図６に示すように配管を配置すると、梁の居室内側の側部を配管が通るため、配管を通すための空間が居室内に突出し、その分、居室内の空間が削られるという問題がある。
【０００５】
また、梁に貫通孔を設ける方法では、梁が所定の強度を確保できるように、梁せいなどを大きくする必要があり、その分、居室内の空間が削られることとなる。
【０００６】
本発明は上記の問題に鑑みなされたものであり、その目的は、居室内の空間に影響を及ぼすことなく、設備配管の配置が可能な柱梁架構を提供することである。
【課題を解決するための手段】
【０００７】
本発明の柱梁架構は、コンクリート造の柱梁架構であって、少なくとも一部の隣接する一対の柱間には梁が架け渡されておらず、当該隣接する一対の柱に、夫々前記第１の室側に向かって延びるように接続された一対の第１の梁の間に、第２の梁が架け渡されていることを特徴とする。
【０００８】
上記の柱梁架構において、前記第２の室は居室又は空調が必要な部屋であってもよく、前記第１の梁は片持ち梁であってもよい。
【発明の効果】
【０００９】
本発明によれば、柱間に梁が架け渡されていないため、居室外の空間において設備配管の取りまわしを行うことができる。これにより、居室内に設備配管を取りまわすための空間が突出することを防止することができる。
【図面の簡単な説明】
【００１０】
【図１】本実施形態の一層分の柱梁架構の構成を示す斜視図である。
【図２】居室と廊下の間における空調用設備配管の配置を示す鉛直断面図である。
【図３】（Ａ）は従来の柱梁架構を示す鉛直断面図であり、（Ｂ）は本実施形態の柱梁架構を示す鉛直断面図である。
【図４】別の実施形態の一層分の柱梁架構の構成を示す斜視図である。
【図５】従来の建物における柱梁架構を示す斜視図である。
【図６】従来の建物における設備配管の構成の一例を示す図である。
【発明を実施するための形態】
【００１１】
以下、本発明の柱梁架構の一実施形態を図面を参照しながら詳細に説明する。
図１は、本実施形態の柱梁架構の構成を示す斜視図である。本実施形態の柱梁架構は、同図に示すようなＹ方向に２スパン、Ｘ方向に６スパンの柱梁架構１０が複数層重なって構成される。なお、図１には１層分の柱梁架構１０のみを図示している。同図に示すように、柱梁架構１０は外周全周に亘って柱２０間に外周梁３０が架け渡され、１通り〜２通りの柱２０の間には梁３１が架け渡されている。また、２通りの柱２０から３通りに向かって柱２０の間のスパン長よりも短い長さの片持梁４０が突出している。２通りの隣接する柱２０の間には梁が架け渡されておらず、片持梁４０の先端に梁４１が架け渡されている。そして、上階の床スラブ（不図示）はこれら梁３０、３１、４１により支持されている。なお、本実施形態では、１通りと２通りとの間の空間は居室として、２通りと３通りとの間の空間は一部を廊下として利用されているものとする。
【００１２】
床スラブに作用する長期荷重は、梁３０、３１、４１が負担するが、このうち、梁４１が負担する荷重は片持梁４０を介して柱２０に伝達されるため、従来の柱梁架構と同様に長期荷重を支持することができる。
【００１３】
また、地震動に対しては、Ｘ方向には外周の梁３０により抵抗し、Ｙ方向には外周の梁３０及び１通りから２通りの間に架け渡された梁３１により抵抗する。このように、柱梁架構１０は建物の支持構造として十分な強度を有する。
【００１４】
図２は、居室と廊下の間における空調用設備配管８０の配置を示す鉛直断面図である。同図に示すように、各居室には廊下に配置された空調用設備配管８０から分岐した分岐配管８１が延びている。廊下側における空調用設備配管８０は、梁４１の下方高さにおいて廊下に沿う方向（図２における紙面垂直方向）に延びるように配置されている。２通りの柱２０間には間仕切り壁６０が設けられている。分岐配管８１は、空調用設備配管８０から間仕切り壁６０に向かって水平方向に延び、上向きに屈曲して間仕切り壁６０に沿って上方に延び、再び水平方向に屈曲して上階の床スラブ５０に沿って水平方向に延びて室内の空調装置まで到達している。廊下側の空調用設備配管８０の下方には天井板７０が設けられ、居室側の分岐配管８１の下方には天井板７１が設けられている。
【００１５】
このように、本実施形態では、２通りの柱２０に廊下側へ突出する片持梁４０を設け、この片持梁４０の間に梁４１を設けることとしたため、廊下側から居室に向かって延びる分岐配管８１を、２通りの柱２０よりも、廊下側の位置において梁４１の下を通すことができる。このため、居室内においては分岐配管８１を天井スラブ５０の下面に沿うように配置することができる。これにより、従来のように設備配管の取りまわしのために居室内の空間が圧迫されることがなくなり、居室内の空間を有効利用することができる。
【００１６】
また、図３（Ａ）に示すように、上階の天井スラブ５０にＰＣ部材を用いた場合には、梁１３０間のスパンが一定である必要がある。このため、柱１２０間に梁１３０を架け渡している場合には、梁１３０のスパンと等しくなるように柱１２０を配置しなければならず、柱１２０のスパンＳを広げることが難しかった。これに対して、本実施形態では、片持梁４０の間に梁を架け渡すこととしたため、図３（Ｂ）に示すように、柱２０のスパンＳ´と片持梁４０と同じ方向の梁３１のスパンとを一致させる必要がない。これにより、梁３１のスパンを一定としたまま、片持梁４０の長さに応じて柱２０を設ける位置を移動することで、柱２０のスパンＳ´が大きな空間を形成することができる。
【００１７】
なお、本実施形態では、空調用設備配管８０から分岐した分岐配管８１を配置する場合を例として説明したが、これに限らず、排煙用の配管などを配置する場合にも本発明を適用できる。
【００１８】
また、本実施形態では、居室側から廊下側へ梁の位置を移動した場合について説明したが、これに限らず、居室又は空調が必要な部屋から、例えば、バルコニーなどの居室以外の空間方向へ梁の位置を移動する場合にも本発明を適用することができる。
【００１９】
また、本実施形態では、２通りから３通り間に梁が架け渡されていない場合について説明したが、これに限らず、２通りから３通り間に梁が架け渡されている場合でも本発明を適用できる。この場合、図４に示すように、片持梁を設けずに、２通りから３通り間に架け渡された梁３１の間に梁４１を架け渡せばよい。なお、２通りから３通り間に梁４１を架け渡した場合、１通りから２通りの間に梁を架け渡さなくてもよい。
【００２０】
また、本実施形態では、全ての２通りの柱間の梁を移動させる場合について説明したが、これに限らず、一部の梁のみを移動させてもよい。
【００２１】
また、本実施形態では、全ての階層の柱梁架構が同様の構成であるものとしたが、これに限らず、建物の一部の階層の柱梁架構においてのみ、本発明を適用してもよい。
【００２２】
また、本実施形態では、鉄筋コンクリート造の柱梁架構において本発明を適用した場合について説明したが、これに限らず、鉄骨コンクリート造、鉄骨鉄筋コンクリート造の建物においても本発明を適用することができる。
【符号の説明】
【００２３】
１０  柱梁架構                          ２０  柱
３０  外周梁                            ３１  梁
４０  片持梁                            ４１  梁
５０  床スラブ                          ６０  間仕切り壁
７０、７１  天井板                      ８０  設備配管
８１  分岐配管
【図１】
2010196278.tif 000003
【図２】
2010196278.tif 000004
【図３】
2010196278.tif 000005
【図４】
2010196278.tif 000006
【図５】
2010196278.tif 000007
【図６】
2010196278.tif 000008